(57)【要約】      （修正有）【課題】便蓋と便座とからなる便器において排便排尿時の使用感に優れ、且利用者の皮膚疾患や疾病の感染も防止しえる衛生的な便器を提供する。【解決手段】抗菌消臭織物素地２Ａで便座の座置する尻部及び股部までの長さと便座の幅及び形状に裁断のうえ、その複数枚の周縁をシール若しくは縫着したうえ、緩衝パット２となし且この緩衝パット２を粘着剤で便座上部に仮着せしめ、更に該緩衝パット２の寸法、幅、形状に裁断した抗菌消臭織物素地２Ａで形成された衛生片３の複数枚を加圧係止具３Ａ又は絡合係止具で緩衝パット２に加圧係入せしめて、剥離自在に係止３Ｃさせてなる便蓋と便座からなる。【選択図】図４
0003208307.tif 000002
【実用新案登録請求の範囲】
【請求項１】
便蓋、便座及び流水洗浄槽からなる便器において、便座の座置する尻部及び股部までの長さと、便座の幅及び湾曲された形状に抗菌消臭織物素地を裁断し、その複数枚の周縁をシール若しくは縫合して緩衝パットとなしたるうえ、この緩衝パットが適宜粘着剤により便座上面に仮着されてなり、更に抗菌消臭織物素地を緩衝パットと長さ、幅及び湾曲形状と同等に形成して衛生片となし、而してこの衛生片の複数枚が加圧係止具若しくは絡合係止具により緩衝パット上面に加圧係入させ、以って剥離自在に係止させてなる衛生的で使用感に優れる便器。
【請求項２】
衛生片のそれぞれが多様な色相により形成されてなる請求項１記載の衛生的で使用感に優れる便器。
【請求項３】
衛生片の一側に剥離突起が設けられてなる、請求項１若しくは請求項２記載の、衛生的で使用感に優れる便器。
【考案の詳細な説明】
【技術分野】
【０００１】  本考案は便蓋と便座からなる便器に係り、更に詳しくは便座に緩衝性と消臭抗菌性を保持する緩衝パットが仮着され、且この緩衝パット上面に剥離廃棄しえる衛生片が適宜数係止されてなる衛生的で使用感に優れる便器に係るものである。
【背景技術】
【０００２】  便器は古くは男性立ち使用の小用便器と男女が屈み込み便用する大用便器とが併置使用若しくは分離使用されてきた。而して１９６０年以後の成長経済とともに、多くの事業が成長発展し、且これらが都市部に集中化し、これとともに就労者の都吊部の移動居住が促進され、この結果限定された都市部の地価高騰化を招き、その解決手段として狭少で高層化による居住、即ち団地建物やマンション建物が今日に至るまで拡大化されている。【０００３】  これがための都市部の居宅の多くは極めて狭く、従って居宅の構造も居室、ダイニング、寝室等以外の浴室や便所等は可能な限り狭少な構造となる。そしてこれら居宅内での家具や什器類もその殆んどが座り掛けの使用がなされている。
そこで便所においても小用使用と大用使用とを共用しえ、且座り掛けできる高さに流水洗浄槽を配置し、この上部に便座を上げ下げ可能に、而もこの上部に便蓋が同様上げ下げ可能に形成された構成のものが主に使用されている。
加えて都市部では、店舗やホテル施設等においても更に地価高騰により賃貸料や施設費用も莫大となり、付帯設備たる便所についても、同様に座り掛けで洗浄槽と便座及び便蓋による構成のものが、本格的に活用されるに至っている。【０００４】  そしてかかる流水洗浄槽、便座及び便蓋からなる便器の使用に際しては、男子の小用においては便座及び便蓋を持ち上げて流水洗浄槽内に排尿するものであるが、他方女子の小用や大用若しくは男子の大用においては、便蓋を上げたうえ便座に尻部及び股部を座置させて排便排尿をなすものである。
而して近年においては一方で健康指向を謳いながら、実情においては栄養バランスなどおろかファーストフードやレトルトに没頭し、或いは駅中コーヒー店でコーヒーとパンで空腹を満たしていることは栄養バランスの欠陥に加え、大気汚染、空気汚染、水の汚染とも相俟って、皮膚疾患や発疹、多汗症が多発し、而も都市部には多様な人種も交流しており、国外からの疫病の感染も危惧される。【０００５】  してみると、仮りに家族が相互に排便使用する場合でも、皮膚疾患は家族それぞれが保持するものであるから排便使用に際して皮膚疾患者が便座に尻部及び股部を座置させ使用した後には当然に疾患菌が付着し、而して次なる使用者に伝染する結果となる。
そして憂慮すべきは、店舗やホテル、施設等においては極めて広範囲な人達が、かかる便器の便座に尻部や股部を座置使用するため、極めて広範な皮膚疾患菌等から多数の排便利用者に伝染されることにある。
加えてかかる便器の便座は強靭で硬度の高い合成樹脂素材が使用され、且尻部から二又に分かれて股部まで載置できるよう湾曲状の細幅に形成されてなるため、長時の使用者には稍痛みを感ずることもある。【０００６】  考案者はかかる現状の流水洗浄槽、便座及び便蓋からなる便器についての問題を解決するため鋭意研究を重ねた結果、次亜塩素酸ソーダに揮散抑制剤を僅かに加えた消臭抗菌材を不織布に塗着せしめて抗菌消臭基材となしたるうえ、この抗菌消臭基材を便座の尻部及び股部の長さと幅及び形状に裁断しその適宜数枚の周縁をシール若しくは縫合した緩衝パットを便座面に仮着させることで、排便時の便座と尻部及び股部とに緩衝性が生れ、而も抗菌消臭基材によって使用時でも不使用時でも抗菌性と消臭性が発揮される。
加えてこの緩衝パットの上面に該緩衝パットと寸法及び形状が等しく、且適宜の数枚がそれぞれ自在に離散しえるように衛生片が係止され、多数の利用者が便座面に座置し排便したる場合にも、この衛生片の剥離廃棄で皮膚疾患や疫病の感染も防止しえることに想到し、本考案に至った。
【考案の開示】
【考案が解決しようとする課題】
【０００７】  便蓋と便座とからなる便器において、硬度が高く且細幅で湾曲状の便座に、尻部及び股部を座置させて排便排尿時の痛みを緩和し且便器内の消臭抗菌を図るとともに、多数の利用者の利用によっても皮膚疾患や疫病の感染も防止しえる衛生的で使用感に優れる便器の提供にある。
【課題を解決するための手段】
【０００８】  本発明は次亜塩素酸ソーダに揮散抑制剤としてカルボキシビニルポリマーが０，１及至０，２％割合で混合された抗菌消臭剤が合成繊維不織布に２及至４％重量割合で塗着させて抗菌消臭織物基材となしたるうえ、この抗菌消臭織物基材を便座に座置する尻部より股部に亘る長さで、且対向して湾曲する形状と長さ及び幅に合わせて裁断した複数枚の周縁をシール若しくは縫着せしめて緩衝パットとなしるうえ、この緩衝パットが便座に粘着剤で仮着されている。
そしてこの緩衝パットの上面には、抗菌消臭織物基材で且緩衝パットと略同等の寸法形状で適正枚数からなる衛生片が剥離自在に係止された構造の衛生的で使用感に優れる便器に存ずる。
【考案の効果】
【０００９】本考案は使用する基材として抗菌消臭剤が合成繊維不織布に塗着された抗菌消臭織物基材が用いられ、且この抗菌消臭織物基材が便座の座置される尻部及び股部までの長さと、湾曲した形状と幅で裁断されたうえ、その多数枚の周縁がシール若しくは縫合させて一体的な緩衝パットとなしたうえ便座に仮着されてなるから、便通時の長時の座置にも痛みを感ずることがなく、而も複数枚からなる抗菌消臭織物素地が使用されてなるため、本考案便器の使用不使用時に，かかわらず抗菌性と消臭性が発揮されて、快適な環境に保持される。
而もかかる緩衝パットの上面には、該緩衝パットと同素材で且同寸法、形状で適宜枚数からなる衛生片が剥離自在に係止されてなるため、用便後にかかる衛生片を剥離廃棄することで、多数の利用者でも皮膚疾患や疫病等の感染防止が実現される。
【考案を実施するための最良の形態】
【００１０】  本発明の実施例を以下図面に基づき説明する。
【実施例】
【００１１】  図１は本考案が対象とする便蓋、便座を有する便器の説明図であって、図１のＡは本考案便器１の全体説明図であって、１Ａは便蓋、１Ｂは便座であり、１Ｃは排便排尿の流水洗浄槽である。
そして図２は本考案が新規性並びに進歩性を創出せしめる便座１Ｂの拡大説明図であって、かかる便蓋１Ａ、便座１Ｂ及び流水洗浄槽１Ｃが一体的に構成された便器１の実用使用に際しては女子の排便排尿には便蓋１Ａを引き上げて、便座１Ｂに座置して使用し、更に男子の排便時も女子使用法と同様であるが小用では便蓋１Ａ及び便座１Ｂを引き上げて流水洗浄槽１Ｃ内に排尿する。【００１２】  図３は緩衝パットの説明図であって、現行の便器１は強靭硬度の高い合成樹脂で形成されるため便座１Ｂに尻部及び股部を座置させるので、長時に亘っての使用では痛味を忘える。そこで座置する範囲に緩衝パット２を配位するもので、当然に緩衝パット２は抗菌消臭織物素地２Ａが用いられ且該緩衝パット２は合成繊維不織布に抗菌消臭剤が塗着されたうえ、実質的に座置される長さ及び幅及び形状に裁断されて形成されるもので、実用的には便座１Ｂの左側及び右側相互が湾曲状の形状で、且長さとしては略３５及至４０ｃｍ幅としては略７，５及至８，５ｃｍ程度である。
かくして裁断された緩衝パット２は、適宜数望ましくは５及至１０枚程度を一体的にその周縁をシール若しくは縫着２Ｂしたうえ、便座１Ｂの所要位置に、例えば粘着剤等で仮着される。【００１３】  上述の緩衝パット２の形成により強靭硬度の高い合成樹脂で形成された便座１Ｂへの座置による使用上の痛み等は、その優れた緩衝性により解決しえ、且抗菌消臭織物素地２Ａの使用により便蓋が閉鎖された状態でも抗菌性や消臭性が発揮される。
図４は衛生片３の説明図であって、該衛生片３は本考案便器の如く、女性の用便や男子の大用には、全て便座１Ｂに座置するものであって、今日の如く食生活や環境の変化、化粧品の乱用、健康飲料や錠剤の多用等により健康阻害者が多数発生し、これにより湿疹疥癬皮膚病等が異常発生しており、従って家族内はもとより店舗、ホテル、飲食店等では多様な利用者が使用することから便座１Ｂを介しての伝染が危惧されている。
これがためには衛生片３による利用者１人１人の用便使用後の剥離廃棄により皮膚炎症の拡散を防止する必要がある。【００１４】  そこで衛生片３は、その使用素材も緩衝パット２と同様に合成繊維不織布に抗菌消臭剤が塗着された抗菌消臭織物素地２Ａが用いられ、且その形状や長さ及び幅も図４のＡに示す如く、緩衝パット２と同様に形成され、緩衝パット２上面に多数枚が載置されるが、この衛生片３は多種多様な利用者が用便後、尻部や股部と接触した部分を剥離廃棄して皮膚病等の伝染を防止し衛生的に保持させるうえから、衛生片３は緩衝パット２の上面に密着し且容易に剥離できるよう図４のＢに示す先鋭の加圧係止具若しくは絡合係止具３Ａを用いて加圧係入させることで、抗菌消臭織物素地２Ａか切裂され若しくは変形切断されて係止３Ｃされることとなる。
加えて剥離を容易とする手段には衛生片３それぞれの色相を変え若しくは衛生片３の端縁に剥離突起３Ｂを設けることも有利である。
【産業上の利用可能性】
【００１５】  便座の座置する位置に抗菌消臭織物素地を多数枚シール若しくは縫合してなる緩衝パットを仮着し、更にその上面に適宜数枚の衛生片を剥離廃棄しえるよう加圧係止具若しくは絡合係止具により剥離自在に係止させる。
【図面の簡単な説明】
【００１６】
【図１】  便蓋、便座を有する便器の説明図である。
【図２】  便座の拡大説明図である。
【図３】  緩衝パットの説明図である。
【図４】  衛生片の説明図である。
【符号の説明】
【００１７】  １    本考案の便器
１Ａ  便蓋
１Ｂ  便座
１Ｃ  流水洗浄槽
２    緩衝パット
２Ａ  抗菌消臭織物素地
２Ｂ  シールまたは縫着
２Ｃ  仮着
３    衛生片
３Ａ  加圧係止又は絡合係止具
３Ｂ  剥離突起
３Ｃ  係止
【図１】
0003208307.tif 000003
【図２】
0003208307.tif 000004
【図３】
0003208307.tif 000005
【図４】
0003208307.tif 000006